(57)【要約】【課題】複数の加熱部の中から調理時間の設定を行う加熱部を直接選択でき、単純な操作で使用感の良い加熱調理器を提供することを目的とする。【解決手段】上部が開口する箱状の本体と、本体の上部開口を覆い、被加熱物を載置する載置部が設けられたトッププレートを有する天板と、複数の加熱手段と、少なくとも複数の加熱手段の調理時間を設定する、複数の加熱手段それぞれに１対１で対応する複数の入力手段を有する操作部と、複数の加熱手段の、設定された調理時間、及び調理時間の残時間を表示する１つの表示手段と、を備え、複数の入力手段の内、複数の加熱手段の内の１つの加熱手段に対応する１つの入力手段で、対応する加熱手段の選択と、選択した加熱手段の調理時間の設定と、選択した加熱手段の調理時間の設定解除と、を行うものである。【選択図】図３
2019027766.tif 000002
【特許請求の範囲】
【請求項１】
上部が開口する箱状の本体と、
前記本体の上部開口を覆い、被加熱物を載置する載置部が設けられたトッププレートを有する天板と、
複数の加熱手段と、
少なくとも複数の前記加熱手段の調理時間を設定する、複数の前記加熱手段それぞれに１対１で対応する複数の入力手段を有する操作部と、
複数の前記加熱手段の、設定された調理時間、及び調理時間の残時間を表示する１つの表示手段と、を備え、
複数の前記入力手段の内、複数の加熱手段の内の１つの加熱手段に対応する１つの入力手段で、対応する加熱手段の選択と、選択した加熱手段の調理時間の設定と、選択した加熱手段の調理時間の設定解除と、を行う加熱調理器。
【請求項２】
前記１つの入力手段を操作し、対応する前記１つの加熱手段を選択すると、選択した前記１つの加熱手段に１対１で対応する１つの発光部が発光し、前記１つの加熱手段が選択されたことを報知する請求項１に記載の加熱調理器。
【請求項３】
前記１つの入力手段を操作し、対応する前記１つの加熱手段を選択した後、続けて前記１つの入力手段を入力すると、前記１つの加熱手段の調理時間の設定が開始され、前記表示手段に前記１つの加熱手段の前記調理時間が表示される請求項１あるいは請求項２に記載の加熱調理器。
【請求項４】
前記１つの入力手段を操作し、前記１つの加熱手段の前記調理時間の設定可能な最大時間まで入力した後、続けて前記１つの入力手段を操作すると、前記１つの加熱手段の前記調理時間の設定を解除し、前記表示手段に表示した前記１つの加熱手段の前記調理時間の表示を消すようにした請求項１〜請求項３何れか１項に記載の加熱調理器。  
【請求項５】
複数の前記加熱手段の内、少なくとも前記１つの加熱手段と他の加熱手段それぞれで前記調理時間が設定されていて、前記表示手段に前記１つの加熱手段の前記調理時間の残時間が表示されているとき、複数の前記入力手段の内、前記他の加熱手段に１対１で対応する他の入力手段を操作すると、前記表示手段に前記他の加熱手段の前記調理時間の残時間を表示するようにした請求項１〜請求項４何れか１項に記載の加熱調理器。
【請求項６】
複数の前記加熱手段の内、少なくとも前記１つの加熱手段と前記他の加熱手段それぞれで前記調理時間が設定されているとき、前記１つの加熱手段に対応する前記１つの発光部と他の加熱手段に対応する他の発光部が発光し、
前記表示手段に前記１つの加熱手段あるいは前記他の加熱手段の何れかの前記調理時間の残時間が表示されているとき、前記１つの発光部と前記他の発光部は異なる発光態様で発光している請求項２〜請求項５何れか１項に記載の加熱調理器。
【請求項７】
複数の前記加熱手段にそれぞれ対応する前記入力手段をそれぞれ操作し、複数の前記加熱手段それぞれの前記調理時間を設定しているとき、次の操作まで第１の既定の時間が経過した後、前記調理時間を確定する請求項１〜請求項６何れか１項に記載の加熱調理器。
【請求項８】
前記調理時間を設定しているときと、前記調理時間が確定したときで前記表示手段の表示態様を変える請求項７に記載の加熱調理器。
【請求項９】
複数の前記加熱手段がそれぞれ加熱動作中であるときに、それぞれ対応する前記入力手段は前記調理時間を設定する操作が可能である請求項１〜請求項８何れか１項に記載の加熱調理器。
【請求項１０】
複数の前記加熱手段の内、少なくとも前記１つの加熱手段と前記他の加熱手段それぞれが加熱中で、それぞれ前記調理時間が設定されていて、前記表示手段に前記１つの加熱手段と前記他の加熱手段何れか前記調理時間が先に終了する加熱手段の前記調理時間の残時間が表示されている場合、前記先に終了する加熱手段の前記調理時間が終了し加熱が完了した後、前記表示手段の表示を、加熱継続中の加熱手段の前記調理時間の残時間の表示に切り替える請求項５〜請求項９何れか１項に記載の加熱調理器。
【請求項１１】
複数の前記加熱手段の内、少なくとも前記１つの加熱手段と前記他の加熱手段それぞれが加熱中で、それぞれ前記調理時間が設定されていて、前記表示手段に前記１つの加熱手段と前記他の加熱手段何れか前記調理時間が先に終了する加熱手段の前記調理時間の残時間が表示されていない場合、前記前記先に終了する加熱手段の前記調理時間の残時間が第２の既定の時間になったら、前記表示手段の表示を、前記調理時間が先に終了する加熱手段の前記調理時間の残時間の表示に切り替える請求項５〜請求項１０何れか１項に記載の加熱調理器。
【請求項１２】
複数の前記加熱手段の内、前記１つの加熱手段である第１の加熱手段と前記他の加熱手段である第２の加熱手段と第３の加熱手段それぞれが加熱中で、それぞれ前記調理時間が設定されていて、前記表示手段に最も先に前記調理時間が終了する加熱手段の前記調理時間の残時間が表示されているとき、前記最も先に前記調理時間が終了する加熱手段の前記調理時間が終了し加熱が完了した後、前記表示手段の表示を、加熱継続中で火力が大きい方の加熱手段の前記調理時間の残時間の表示に切り替える請求項５〜請求項１１何れか１項に記載の加熱調理器。
【請求項１３】
複数の前記加熱手段の内、前記１つの加熱手段である第１の加熱手段と前記他の加熱手段である第２の加熱手段と第３の加熱手段それぞれが加熱中で、それぞれ前記調理時間が設定されていて、前記表示手段に最も先に前記調理時間が終了する加熱手段の前記調理時間の残時間が表示されているとき、前記最も先に前記調理時間が終了する加熱手段の前記調理時間が終了し加熱が完了した後、前記表示手段の表示を、加熱継続中で残時間が短い方の加熱手段の前記調理時間の残時間の表示に切り替える請求項５〜請求項１１何れか１項に記載の加熱調理器。
【請求項１４】
報知手段を備え、
前記表示手段の表示を切り替えることを前記報知手段により報知する請求項１０〜請求項１３何れか１項に記載の加熱調理器。
【発明の詳細な説明】
【技術分野】
【０００１】
本発明は、加熱調理器に関する。
【背景技術】
【０００２】
複数の加熱部を備え、それぞれの加熱部毎に調理時間の設定を行うことができる加熱調理器が知られている（例えば、特許文献１参照）。
【先行技術文献】
【特許文献】
【０００３】
【特許文献１】特開２００２−５４５４号公報（第２頁、図１）
【発明の概要】
【発明が解決しようとする課題】
【０００４】
特許文献１に記載の加熱調理器は調理時間の設定を行うとき、まず複数の加熱部の中から調理時間の設定を行う加熱部を、選択手段である操作手段を入力して選択した後、選択手段とは別の操作手段で調理時間の設定を行うようになっている。取消が必要の場合はさらに別の操作手段により取消を行うようになっている。
【０００５】
選択手段は１つであるので、複数の加熱部の中から調理時間を設定したい加熱部を選択するために複数回選択手段を入力しなければならない場合があり、調理時間を設定したい加熱部を直接選択できず使用感が良くない。
【０００６】
また、調理時間を設定したい加熱部の選択、調理時間の設定、取消をそれぞれ別の操作手段で入力するため、操作が煩雑となる。
【０００７】
本発明は、これらの課題を解決するためになされたもので、複数の加熱部の中から調理時間の設定を行う加熱部を直接選択でき、単純な操作で使用感の良い加熱調理器を提供することを目的とする。
【課題を解決するための手段】
【０００８】
本発明の加熱調理器は、上部が開口する箱状の本体と、本体の上部開口を覆い、被加熱物を載置する載置部が設けられたトッププレートを有する天板と、複数の加熱手段と、少なくとも複数の加熱手段の調理時間を設定する、複数の加熱手段それぞれに１対１で対応する複数の入力手段を有する操作部と、複数の加熱手段の、設定された調理時間、及び調理時間の残時間を表示する１つの表示手段と、を備え、複数の入力手段の内、複数の加熱手段の内の１つの加熱手段に対応する１つの入力手段で、対応する加熱手段の選択と、選択した加熱手段の調理時間の設定と、選択した加熱手段の調理時間の設定解除と、を行うものである。
【発明の効果】
【０００９】
本発明によれば、複数の加熱手段の内の１つの加熱手段に対応する１つの入力手段で、対応する加熱手段の選択と、選択した加熱手段の調理時間の設定と、選択した加熱手段の調理時間の設定解除と、を行うようにしたので、単純な操作で加熱手段の選択と、選択した加熱手段の調理時間の設定、を行うことができ、加熱調理器の使用感、操作性を損なうことがない。
【図面の簡単な説明】
【００１０】
【図１】本発明の実施の形態１に係る加熱調理器の外観斜視図である。
【図２】本発明の実施の形態１に係る加熱調理器の天板を外した状態の斜視図である。
【図３】本発明の実施の形態１に係る加熱調理器を上方から見た上面図である。
【図４】本発明の実施の形態１に係る加熱調理器の概略の構成を示すブロック図である。
【図５】（ａ）図３に示すＡ部の拡大図、（ｂ）図３に示すＡ部の拡大図で左加熱手段の切入キーを押下して火力ダウンまたはアップキーで基準の火力を入れたときの状態図、（ｃ）図３に示すＡ部の拡大図で、火力設定キーで火力を下げたときの状態図、（ｄ）図３に示すＡ部の拡大図で、火力設定キーで火力を上げたときの状態図である。
【図６】（ａ）図３に示すＢ部の拡大図、（ｂ）図３に示すＢ部の拡大図で右加熱手段の切入キーを押下して火力ダウンまたはアップキーで基準の火力を入れたときの状態図、（ｃ）図３に示すＢ部の拡大図で、火力設定キーで火力を下げたときの状態図、（ｄ）図３に示すＢ部の拡大図で、火力設定キーで火力を上げたときの状態図である。
【図７】（ａ）図３に示すＣ部の拡大図、（ｂ）図３に示すＣ部の拡大図で１（左加熱手段調理時間設定）キーを押下して調理時間の設定をする左加熱手段を選択したときの状態図、（ｃ）図３に示すＣ部の拡大図で１（左加熱手段調理時間設定）キーを押下して調理時間を設定しているときの状態図、（ｄ）図３に示すＣ部の拡大図で１（左加熱手段調理時間設定）キーを押下して調理時間を増やしているときの状態図である。
【図８】（ａ）図３に示すＣ部の拡大図で１（左加熱手段調理時間設定）キーを押下して調理時間を最大時間まで設定したときの状態図、（ｂ）図８（ａ）の状態（調理時間を最大時間まで設定した状態）から１（左加熱手段調理時間設定）キーを押下して調理時間設定を解除したときの状態図である。
【図９】（ａ）図３に示すＣ部の拡大図で１（左加熱手段調理時間設定）キーを押下して調理時間の設定が完了したときの状態図、（ｂ）図９（ａ）の状態（調理時間の設定が完了した状態）から２（右加熱手段調理時間設定）キーを押下して調理時間の設定をする右加熱手段を選択したときの状態図である。
【図１０】（ａ）図３に示すＣ部の拡大図で２（右加熱手段調理時間設定）キーを押下して調理時間の設定が完了したときの状態図、（ｂ）図１０（ａ）の状態（調理時間の設定が完了した状態）から１（左加熱手段調理時間設定）キーを押下して左加熱手段を選択し左加熱手段の調理時間の残り時間を表示したときの状態図、（ｃ）調理時間の残り時間の他の表示例を表した図、（ｄ）調理時間の残り時間の他の表示例を表した図である。
【図１１】本発明の実施の形態２に係る加熱調理器の外観斜視図である。
【図１２】本発明の実施の形態２に係る加熱調理器の天板を外した状態の斜視図である。
【図１３】本発明の実施の形態２に係る加熱調理器を上方から見た上面図である。
【図１４】本発明の実施の形態２に係る加熱調理器を、図１１に示すＤＤ切断線で切断し側方から見た調理庫の部分断面図である。
【図１５】本発明の実施の形態２に係る加熱調理器の概略の構成を示すブロック図である。
【図１６】（ａ）図１３に示すＥ部の拡大図、（ｂ）図１３に示すＥ部の拡大図で左加熱手段の切入キーを押下して火力ダウンまたはアップキーで基準の火力を入れたときの状態図、（ｃ）図１３に示すＥ部の拡大図で、火力設定キーで火力を下げたときの状態図、（ｄ）図１３に示すＥ部の拡大図で、火力設定キーで火力を上げたときの状態図である。
【図１７】（ａ）図１３に示すＦ部の拡大図、（ｂ）図１３に示すＦ部の拡大図で、右加熱手段の切入キーを押下して火力ダウンまたはアップキーで基準の火力を入れたときの状態図、（ｃ）図１３に示すＦ部の拡大図で、火力設定キーで火力を下げたときの状態図、（ｄ）図１３に示すＦ部の拡大図で、火力設定キーで火力を上げたときの状態図である。
【図１８】（ａ）図１３に示すＧ部の拡大図、（ｂ）図１３に示すＧ部の拡大図で、中央加熱手段の切入キーを押下して火力ダウンまたはアップキーで基準の火力を入れたときの状態図、（ｃ）図１３に示すＧ部の拡大図で、火力設定キーで火力を下げたときの状態図、（ｄ）図１３に示すＧ部の拡大図で、火力設定キーで火力を上げたときの状態図である。
【図１９】（ａ）図１３に示すＧ部の拡大図で、中央加熱手段に代えて調理庫加熱手段を選択したときの状態図、（ｂ）図１３に示すＧ部の拡大図で調理庫加熱手段の切入キーを押下して火力ダウンまたはアップキーで基準の火力を入れたときの状態図、（ｃ）図１３に示すＧ部の拡大図で、火力設定キーで火力を下げたときの状態図、（ｄ）図１３に示すＧ部の拡大図で、火力設定キーで火力を上げたときの状態図である。
【図２０】（ａ）図１３に示すＨ部の拡大図、（ｂ）図１３に示すＨ部の拡大図で１（左加熱手段調理時間設定）キーを押下して調理時間の設定をする左加熱手段を選択したときの状態図、（ｃ）図１３に示すＨ部の拡大図で１（左加熱手段調理時間設定）キーを押下して調理時間を設定しているときの状態図、（ｄ）図１３に示すＨ部の拡大図で１（左加熱手段調理時間設定）キーを押下して調理時間を増やしているときの状態図である。
【図２１】（ａ）図１３に示すＨ部の拡大図で１（左加熱手段調理時間設定）キーを押下して調理時間を最大時間まで設定したときの状態図、（ｂ）図２１（ａ）の状態（調理時間を最大時間まで設定した状態）から１（左加熱手段調理時間設定）キーを押下して調理時間設定を解除したときの状態図である。
【図２２】（ａ）図１３に示すＨ部の拡大図で１（左加熱手段調理時間設定）キーを押下して調理時間の設定が完了したときの状態図、（ｂ）図２２（ａ）の状態（調理時間の設定が完了した状態）から２（右加熱手段調理時間設定）キーを押下して調理時間の設定をする右加熱手段を選択したときの状態図である。
【図２３】（ａ）図１３に示すＨ部の拡大図で２（右加熱手段調理時間設定）キーを押下して調理時間の設定が完了したときの状態図、（ｂ）図２３（ａ）の状態（調理時間の設定が完了した状態）から４（調理庫加熱手段調理時間設定）キーを押下して調理時間の設定をする調理庫加熱手段を選択したときの状態図である。
【図２４】（ａ）図１３に示すＨ部の拡大図で４（調理庫加熱手段調理時間設定）キーを押下して調理時間の設定が完了したときの状態図、（ｂ）図２４（ａ）の状態（調理時間の設定が完了した状態）から、最初に調理時間が完了する左加熱手段の調理時間が表示されたときの状態図である。
【図２５】（ａ）図１３に示すＨ部の拡大図で左加熱手段の調理時間が完了し時間表示が消されたときの状態図、（ｂ）図２５（ａ）の状態（左加熱手段の調理時間が完了し時間表示が消された状態）から、次に調理時間が完了する右加熱手段の調理時間が表示されたときの状態図である。
【発明を実施するための形態】
【００１１】
実施の形態１
（加熱調理器全体の構成）
以下図１から図４により、本発明の実施の形態１に係る加熱調理器の構成について説明する。ここで説明する加熱調理器は、加熱手段が２つ（２口ともいう）の加熱調理器を一例として挙げている。
【００１２】
図１は本発明の実施の形態１に係る加熱調理器の外観斜視図、図２は本発明の実施の形態１に係る加熱調理器の天板を外した状態の斜視図、図３は本発明の実施の形態１に係る加熱調理器を上方から見た上面図、図４は本発明の実施の形態１に係る加熱調理器の概略の構成を示すブロック図である。
なお、それぞれの図において、同じ部分または相当する部分には同じ符号を付し、重複する部分の説明を簡略化あるいは省略することがある。
【００１３】
図１に示すように加熱調理器１００は、箱状の本体１の上部に天板２が設けられている。本体１は、図２に示すように上面が開口しており、その内部には加熱手段１２ａ、１２ｂが設けられており、上面の開口を天板２が覆うようになっている。加熱手段１２ａは、正面側から見て左側にあるので左加熱手段ともいう。加熱手段１２ｂは、正面側から見て右側にあるので右加熱手段ともいう。
【００１４】
天板２は、例えばステンレス等の金属材で額縁状に形成された枠体４と、図示しないシリコーンゴムを介して枠体４に接着される結晶化ガラスで形成されたトッププレート３で構成されている。
【００１５】
天板２のトッププレート３には、加熱手段１２ａ（左加熱手段）に対応する被加熱物を載置する場所及び加熱口であることを表す表示である、左被加熱物載置部（左加熱口表示）３ａが設けられている。同じように、加熱手段１２ｂ（右加熱手段）に対応する被加熱物を載置する場所及び加熱口であることを表す表示である、右被加熱物載置部（右加熱口表示）３ｂが設けられている。
【００１６】
図２には示していないが、本体１内部には図４に示すように加熱手段１２ａ（左加熱手段）に電力を供給する左加熱手段用電源回路２２と、加熱手段１２ｂ（右加熱手段）に電力を供給する右加熱手段用電源回路２３、加熱手段１２ａ（左加熱手段）及び加熱手段１２ｂ（右加熱手段）の動作を制御する制御手段２１（本発明の実施の形態１ではマイコン）が設けられている。左加熱手段用電源回路２２、右加熱手段用電源回路２３は図示しない基板上に構成された回路である。
【００１７】
本発明の実施の形態１では、前述のようにトッププレート３上に載置された被加熱物を加熱する加熱手段が加熱手段１２ａ（左加熱手段）、加熱手段１２ｂ（右加熱手段）と、２つ設けられている。
【００１８】
加熱手段としては、誘導加熱式やラジエントヒーターのような輻射式等の方式が選択可能であり、特に加熱方式の限定がされるものではない。加熱手段１２ａ（左加熱手段）、加熱手段１２ｂ（右加熱手段）が、ともに誘導加熱式の加熱手段である場合、左加熱手段用電源回路２２と右加熱手段用電源回路２３はインバーター回路となる。
【００１９】
加熱手段１２ａ（左加熱手段）と加熱手段１２ｂ（右加熱手段）の何れかが誘導加熱式の加熱手段ではなく輻射式の加熱手段の場合、インバーター回路ではない電源回路でよい。加熱手段が２つ（２口）あるうちの１つが誘導加熱式、もう１つが輻射式という組み合わせであってもよく、加熱手段は適宜選択可能である。本発明の実施の形態１では、加熱手段１２ａ（左加熱手段）、加熱手段１２ｂ（右加熱手段）が、ともに誘導加熱式の加熱手段である場合を例として以降の説明をする。
【００２０】
誘導加熱式の加熱手段及びインバーター回路は、動作中に高温となるため冷却が必要となる。そのため、図２には示していないが、本体１内部には図４に示すように送風手段２９が設けられている。
【００２１】
送風手段２９は、図示しない吸込み口から本体外部の空気を吸込み、加熱手段１２ａ（左加熱手段）、加熱手段１２ｂ（右加熱手段）、左加熱手段用電源回路２２が構成された図示しない基板、右加熱手段用電源回路２３が構成された図示しない基板に向け空気を送風し冷却する。
【００２２】
加熱手段１２ａ（左加熱手段）、加熱手段１２ｂ（右加熱手段）、左加熱手段用電源回路２２が構成された図示しない基板、右加熱手段用電源回路２３が構成された図示しない基板を冷却した空気は、天板２の背面側に設けられた図示しない排気口から排気口カバー２ａを通り本体外へ排出される。なお、本発明の実施の形態１では排気口カバー２ａは１つのカバーとしたが、これに限定されるものではなく、小さい２つのカバーとしてもよい。
【００２３】
図２に示すように本体１内部には表示手段１１が設けられている。前述したように加熱手段１２ａ（左加熱手段）、加熱手段１２ｂ（右加熱手段）は動作中に高温となることから、表示手段１１は加熱手段１２ａ（左加熱手段）、加熱手段１２ｂ（右加熱手段）から離れた位置に配置されている。
【００２４】
トッププレート３には、表示手段１１に対応する位置に表示窓３ｃが設けられている。表示窓３ｃは、表示手段１１の表示内容を透過して見えるようにしている。表示手段１１は、後述する加熱手段１２ａ（左加熱手段）及び加熱手段１２ｂ（右加熱手段）のための設定した調理時間を表示するものである。表示手段１１は調理時間を表示するものであるので、例えば７セグのＬＥＤが使用されることが多いが、液晶表示手段であってもよい。
【００２５】
（加熱調理器操作部の構成）
次に、以下図５から図７により、本発明の実施の形態１に係る加熱調理器の操作部の構成について説明する。
【００２６】
図５（ａ）は図３に示すＡ部の拡大図、（ｂ）は図３に示すＡ部の拡大図で左加熱手段の切入キーを押下して火力ダウンまたはアップキーで基準の火力を入れたときの状態図、（ｃ）は図３に示すＡ部の拡大図で、火力設定キーで火力を下げたときの状態図、（ｄ）は図３に示すＡ部の拡大図で、火力設定キーで火力を上げたときの状態図、図６（ａ）は図３に示すＢ部の拡大図、（ｂ）は図３に示すＢ部の拡大図で右加熱手段の切入キーを押下して火力ダウンまたはアップキーで基準の火力を入れたときの状態図、（ｃ）は図３に示すＢ部の拡大図で、火力設定キーで火力を下げたときの状態図、（ｄ）は図３に示すＢ部の拡大図で、火力設定キーで火力を上げたときの状態図、図７（ａ）は図３に示すＣ部の拡大図、（ｂ）は図３に示すＣ部の拡大図で１（左加熱手段調理時間設定）キーを押下して調理時間の設定をする左加熱手段を選択したときの状態図、（ｃ）は図３に示すＣ部の拡大図で１（左加熱手段調理時間設定）キーを押下して調理時間を設定しているときの状態図、（ｄ）は図３に示すＣ部の拡大図で１（左加熱手段調理時間設定）キーを押下して調理時間を増やしているときの状態図である。
なお、それぞれの図において、同じ部分または相当する部分には同じ符号を付し、重複する部分の説明を簡略化あるいは省略することがある。
【００２７】
天板２の正面側の枠体４には、操作部５が設けられている。操作部５には、加熱調理器１００の電源を切入する主電源キー５ａが設けられている。また、操作部５には図３で示すＡ部に、図５（ａ）で示すように加熱手段１２ａ（左加熱手段）の切入をする左加熱手段切入キー３１ａ、加熱手段１２ａ（左加熱手段）の火力を下げる左加熱手段火力ダウンキー３１ｂ、加熱手段１２ａ（左加熱手段）の火力を上げる左加熱手段火力アップキー３１ｃ、加熱手段１２ａ（左加熱手段）の火力を表示する左加熱手段火力１表示手段３２ａ、左加熱手段火力２表示手段３２ｂ、左加熱手段火力３表示手段３２ｃ、左加熱手段火力４表示手段３２ｄ、左加熱手段火力５表示手段３２ｅ、左加熱手段火力６表示手段３２ｆ、左加熱手段火力７表示手段３２ｇ、左加熱手段火力８表示手段３２ｈ、左加熱手段火力９表示手段３２ｉが設けられている。
【００２８】
さらに、操作部５には図３で示すＢ部に、図６（ａ）で示すように加熱手段１２ｂ（右加熱手段）の切入をする右加熱手段切入キー３３ａ、加熱手段１２ｂ（右加熱手段）の火力を下げる右加熱手段火力ダウンキー３３ｂ、加熱手段１２ｂ（右加熱手段）の火力を上げる右加熱手段火力アップキー３３ｃ、加熱手段１２ｂ（右加熱手段）の火力を表示する右加熱手段火力１表示手段３４ａ、右加熱手段火力２表示手段３４ｂ、右加熱手段火力３表示手段３４ｃ、右加熱手段火力４表示手段３４ｄ、右加熱手段火力５表示手段３４ｅ、右加熱手段火力６表示手段３４ｆ、右加熱手段火力７表示手段３４ｇ、右加熱手段火力８表示手段３４ｈ、右加熱手段火力９表示手段３４ｉが設けられている。
【００２９】
それから、操作部５には図３で示すＣ部に、図７（ａ）で示すように加熱手段１２ａ（左加熱手段）を選択し、加熱手段１２ａ（左加熱手段）の調理時間を設定する左加熱手段調理時間設定キー３５ａ、加熱手段１２ｂ（右加熱手段）を選択し、加熱手段１２ｂ（右加熱手段）の調理時間を設定する右加熱手段調理時間設定キー３５ｂ、加熱手段１２ａ（左加熱手段）を選択していることを表示する左加熱手段選択表示手段３６ａ、加熱手段１２ｂ（右加熱手段）を選択していることを表示する右加熱手段選択表示手段３６ｂが設けられている。
【００３０】
なお、左加熱手段調理時間設定キー３５ａあるいは右加熱手段調理時間設定キー３５ｂは、調理時間を設定するために加熱手段１２ａ（左加熱手段）あるいは加熱手段１２ｂ（右加熱手段）を選択するキーであり、火力設定や切入のキーとは別に設けられているものである。
【００３１】
また、左加熱手段調理時間設定キー３５ａはキー上に１で表されているが、これは加熱手段１２ａ（左加熱手段）に対応している。つまり、１は加熱手段１２ａ（左加熱手段）を表している。同様に、右加熱手段調理時間設定キー３５ｂはキー上に２で表されているが、これは加熱手段１２ｂ（右加熱手段）に対応している。つまり、２は加熱手段１２ｂ（右加熱手段）を表している。
【００３２】
前述のように、表示手段１１の表示内容は表示窓３ｃを透過して見えるようになっていて、７セグを２つ並べた構成で、左加熱手段調理時間設定キー３５ａ、右加熱手段調理時間設定キー３５ｂ、左加熱手段選択表示手段３６ａ、右加熱手段選択表示手段３６ｂの近くに表示されるようになっている。
【００３３】
（加熱手段の選択、調理時間の設定）
次に、以下図８から図１０及び前述の図５から図７により、本発明の実施の形態１に係る加熱調理器の加熱手段の選択、調理時間の設定について説明する。
【００３４】
図８は（ａ）は図３に示すＣ部の拡大図で１（左加熱手段調理時間設定）キーを押下して調理時間を最大時間まで設定したときの状態図、（ｂ）は図８（ａ）の状態（調理時間を最大時間まで設定した状態）から１（左加熱手段調理時間設定）キーを押下して調理時間設定を解除したときの状態図、図９（ａ）は図３に示すＣ部の拡大図で１（左加熱手段調理時間設定）キーを押下して調理時間の設定が完了したときの状態図、（ｂ）は図９（ａ）の状態（調理時間の設定が完了した状態）から２（右加熱手段調理時間設定）キーを押下して調理時間の設定をする右加熱手段を選択したときの状態図、図１０（ａ）は図３に示すＣ部の拡大図で２（右加熱手段調理時間設定）キーを押下して調理時間の設定が完了したときの状態図、（ｂ）は図１０（ａ）の状態（調理時間の設定が完了した状態）から１（左加熱手段調理時間設定）キーを押下して左加熱手段を選択し左加熱手段の調理時間の残り時間を表示したときの状態図、（ｃ）、（ｄ）は調理時間の残り時間の他の表示例を表した図である。
なお、それぞれの図において、同じ部分または相当する部分には同じ符号を付し、重複する部分の説明を簡略化あるいは省略することがある。
【００３５】
前述の主電源キー５ａ（図１、図３参照）で加熱調理器１００の電源を入れると、加熱手段１２ａ（左加熱手段）の切入をする左加熱手段切入キー３１ａ、加熱手段１２ｂ（右加熱手段）の切入をする右加熱手段切入キー３３ａの入力が可能な状態となる。
【００３６】
まず、加熱手段１２ａ（左加熱手段）の入力、火力の調整について図５により説明する。主電源キー５ａにより電源が入った状態から左加熱手段切入キー３１ａを入力すると、制御手段２１により
加熱手段１２ａ（左加熱手段）の火力の調整の待機状態となり、この状態から左加熱手段火力ダウンキー３１ｂあるいは左加熱手段火力アップキー３１ｃの何れかを１回入力すると、基準の火力４で通電が開始される。火力４での通電開始は、図５（ｂ）に示すように、左加熱手段火力１表示手段３２ａ、左加熱手段火力２表示手段３２ｂ、左加熱手段火力３表示手段３２ｃ、左加熱手段火力４表示手段３２ｄが制御手段２１により発光、点灯することで、使用者が確認できるようになる。
【００３７】
この火力４の状態から火力を下げるように調整したいときは、左加熱手段火力ダウンキー３１ｂを１回入力すると、図５（ｃ）に示すように、左加熱手段火力４表示手段３２ｄが制御手段２１により消灯し、火力３に変更される。
【００３８】
図示しないが、続けて左加熱手段火力ダウンキー３１ｂを１回入力すると、左加熱手段火力３表示手段３２ｃが制御手段２１により消灯し、火力２に変更される。さらに左加熱手段火力ダウンキー３１ｂを１回入力すると、左加熱手段火力２表示手段３２ｂが制御手段２１により消灯し、最低設定火力の火力１に変更され、これ以下は下がらない。
【００３９】
火力４の状態から火力を上げるように調整したいときは、左加熱手段火力アップキー３１ｃを１回入力すると、図５（ｄ）に示すように、左加熱手段火力５表示手段３２ｅが制御手段２１により発光、点灯し、火力５に変更される。
【００４０】
図示しないが、続けて左加熱手段火力アップキー３１ｃを１回入力すると、左加熱手段火力６表示手段３２ｆが制御手段２１により発光、点灯し、火力６に変更される。さらに左加熱手段火力アップキー３１ｃを１回入力すると、左加熱手段火力７表示手段３２ｇが制御手段２１により発光、点灯し、火力７に変更、さらに左加熱手段火力アップキー３１ｃを１回入力すると、左加熱手段火力８表示手段３２ｈが制御手段２１により発光、点灯し、火力８に変更、さらに左加熱手段火力アップキー３１ｃを１回入力すると、左加熱手段火力９表示手段３２ｉが制御手段２１により発光、点灯し、火力９に変更、最大設定火力の火力９に変更されてこれ以上は上がらない。
【００４１】
次に、加熱手段１２ｂ（右加熱手段）の入力、火力の調整について図６により説明する。主電源キー５ａにより電源が入った状態から右加熱手段切入キー３３ａを入力すると、制御手段２１により加熱手段１２ｂ（右加熱手段）の火力の調整の待機状態となり、この状態から右加熱手段火力ダウンキー３３ｂあるいは右加熱手段火力アップキー３３ｃの何れかを１回入力すると、基準の火力４で通電が開始される。火力４での通電開始は、図６（ｂ）に示すように、右加熱手段火力１表示手段３４ａ、右加熱手段火力２表示手段３４ｂ、右加熱手段火力３表示手段３４ｃ、右加熱手段火力４表示手段３４ｄが制御手段２１により発光、点灯することで、使用者が確認できるようになる。
【００４２】
この火力４の状態から火力を下げるように調整したいときは、右加熱手段火力ダウンキー３３ｂを１回入力すると、図６（ｃ）に示すように、右加熱手段火力４表示手段３４ｄが制御手段２１により消灯し、火力３に変更される。
【００４３】
図示しないが、続けて右加熱手段火力ダウンキー３３ｂを１回入力すると、右加熱手段火力３表示手段３４ｃが制御手段２１により消灯し、火力２に変更される。さらに右加熱手段火力ダウンキー３３ｂを１回入力すると、右加熱手段火力２表示手段３４ｂが制御手段２１により消灯し、最小設定火力の火力１に変更され、これ以下は下がらない。
【００４４】
火力４の状態から火力を上げるように調整したいときは、右加熱手段火力アップキー３３ｃを１回入力すると、図６（ｄ）に示すように、右加熱手段火力５表示手段３４ｅが制御手段２１により発光、点灯し、火力５に変更される。
【００４５】
図示しないが、続けて右加熱手段火力アップキー３３ｃを１回入力すると、右加熱手段火力６表示手段３４ｆが制御手段２１により発光、点灯し、火力６に変更される。さらに右加熱手段火力アップキー３３ｃを１回入力すると、右加熱手段火力７表示手段３４ｇが制御手段２１により発光、点灯し、火力７に変更、さらに右加熱手段火力アップキー３３ｃを１回入力すると、右加熱手段火力８表示手段３４ｈが制御手段２１により発光、点灯し、火力８に変更、さらに右加熱手段火力アップキー３３ｃを１回入力すると、右加熱手段火力９表示手段３４ｉが制御手段２１により発光、点灯し、火力９に変更、最大設定火力の火力９に変更されてこれ以上には上がらない。
【００４６】
本発明の実施の形態１では火力設定を９段階として、例えばそれぞれ火力１は１５０Ｗ、火力２は３００Ｗ、火力３は５００Ｗ、火力４は７５０Ｗ、火力５は１０００Ｗ、火力６は１５００Ｗ、火力７は２０００Ｗ、火力８は２５００Ｗ、火力９は３０００Ｗのように設定されている。
【００４７】
但し、火力設定を９段階とすることに限定されるものではなく、９段階より多い設定としてもよいし、９段階より少ない設定としてもよく適宜設定可能である。また、最小設定火力１は１５０Ｗ、最大設定火力９は３０００Ｗとして説明したが、最小設定火力及び最大設定火力もこれに限定されるものではなく、適宜設定可能である。
【００４８】
次に、加熱手段１２ａ（左加熱手段）及び加熱手段１２ｂ（右加熱手段）の調理時間設定時の加熱手段の選択、調理時間の設定、調理時間の設定の解除について図７、図８により説明する。
【００４９】
加熱手段１２ａ（左加熱手段）の調理時間を設定する場合、加熱手段１２ａ（左加熱手段）の通電が開始されていることが前提となる。つまり、加熱手段１２ａ（左加熱手段）の通電が開始されていないと、加熱手段１２ａ（左加熱手段）の調理時間の設定はできないということである。
【００５０】
同様に、加熱手段１２ｂ（右加熱手段）の調理時間を設定する場合、加熱手段１２ｂ（右加熱手段）の通電が開始されていることが前提となる。つまり、加熱手段１２ｂ（右加熱手段）の通電が開始されていないと、加熱手段１２ｂ（右加熱手段）の調理時間の設定はできないということである。
【００５１】
加熱手段１２ａ（左加熱手段）の通電が開始されている状態で、前述のように加熱手段１２ａ（左加熱手段）に対応する１で表された左加熱手段調理時間設定キー３５ａを１回入力すると、図７（ｂ）に示すように加熱手段１２ａ（左加熱手段）を選択したことを表示する左加熱手段選択表示手段３６ａが制御手段２１により発光、点滅する。左加熱手段調理時間設定キー３５ａを１回入力し加熱手段１２ａ（左加熱手段）を選択しただけでは、調理時間の設定はまだ始まらない。
【００５２】
加熱手段１２ａ（左加熱手段）を選択した後、続けて左加熱手段調理時間設定キー３５ａを１回入力すると、図７（ｃ）に示すように、制御手段２１により表示手段１１に最小設定時間の１が表示される。ここで時間の単位は分であり、つまり表示手段１１に表示された１は１分を表している。
【００５３】
続けて左加熱手段調理時間設定キー３５ａを、例えば６回入力すると、図７（ｄ）に示すように、制御手段２１により表示手段１１に設定時間７分が表示される。
なお、本発明の実施の形態１では１回の入力毎に１分ずつ増えていく例で説明したが、左加熱手段調理時間設定キー３５ａを１回押しではなく長押しすることで、調理時間を増やしていくようにしてもよい。
【００５４】
左加熱手段調理時間設定キー３５ａを連続して入力し続けると、制御手段２１により最大設定時間まで調理時間が増えていく。本発明の実施の形態１では図８（ａ）に示す９０分を最大設定時間としている。
【００５５】
但し、調理時間の最大設定時間はこれに限定されるものではなく、９９分としてもよいし、７セグの表示を３桁として最大設定時間を長くしてもよい。また、図１０（ｃ）に示すように５９分まで分で表示し、６０分になったら図１０（ｄ）に示すように１時間を表す１Ｈ（１Ｈｏｕｒ）と表示させてもよく、表示方法は適宜選択可能である。
【００５６】
図８（ａ）に示す最大設定時間９０分まで入力を終えた後、さらに左加熱手段調理時間設定キー３５ａを入力すると制御手段２１により調理時間の設定は解除され、図８（ｂ）に示すように表示手段１１に表示されていた調理時間の表示は消される。
【００５７】
このとき、調理時間の設定は解除されても加熱手段１２ａ（左加熱手段）を選択したことは解除されていないので、制御手段２１は左加熱手段選択表示手段３６ａの発光、点滅は継続している。この継続される発光、点滅は調理時間の設定が解除されてから一定の時間、例えば１分以上次の入力がなかった場合、調理時間の変更がないと制御手段２１が判断し、消灯させるようにしてもよい。
【００５８】
このように、左加熱手段調理時間設定キー３５ａ１つで、加熱手段１２ａ（左加熱手段）の調理時間を設定するときの加熱手段１２ａ（左加熱手段）の選択、調理時間の設定入力、設定解除を行うので使用者の操作性を損なわず、快適に操作ができる。
【００５９】
次に、加熱手段１２ａ（左加熱手段）、加熱手段１２ｂ（右加熱手段）それぞれに調理時間を設定する場合について図９、図１０により説明する。
【００６０】
左加熱手段調理時間設定キー３５ａを入力することにより、図９（ａ）に示すように、表示手段１１に設定時間７分を表示させる。設定時間は入力直後にはまだ確定しないようになっている。設定時間７分が表示されてから、言い換えると左加熱手段調理時間設定キー３５ａの入力から、例えば待機時間を１分（第１の規定の時間）とし、１分（第１の規定の時間）を超えても左加熱手段調理時間設定キー３５ａの次の入力がなかった場合、これ以上調理時間の変更がないと制御手段２１が判断し、設定時間が確定する。このように次の入力までの時間を確保することで、使用者が設定の途中で調理時間が確定してしまうことがないよう、使用者の利便性が損なわれない配慮をしている。
なお、例として待機時間を１分としたがこれに限定されるものではなく、使用者の利便性が損なわれない範囲で５０秒や１分３０秒等としてもよい。
また、調理時間を設定しているときと、調理時間が確定したときで、左加熱手段選択表示手段３６ａの発光色を異なる色、例えば、調理時間を設定しているときは赤色、調理時間が確定したら青色で発光させるようにすると、調理時間が確定したことが理解しやすくなる。  
【００６１】
加熱手段１２ａ（左加熱手段）の調理時間の設定が完了した後、加熱手段１２ｂ（右加熱手段）の調理時間を設定する場合、図９（ａ）の状態から、前述のように加熱手段１２ｂ（右加熱手段）に対応する２で表された右加熱手段調理時間設定キー３５ｂを１回入力すると、図９（ｂ）に示すように加熱手段１２ｂ（右加熱手段）を選択したことを表示する右加熱手段選択表示手段３６ｂが制御手段２１により発光、点滅する。このとき、制御手段２１は左加熱手段選択表示手段３６ａの発光状態を、点滅から点灯に変更する。そして、表示手段１１に表示されていた加熱手段１２ａ（左加熱手段）の調理時間を消す。
【００６２】
このように調理時間を設定する加熱手段１２ｂ（右加熱手段）側の表示手段である右加熱手段選択表示手段３６ｂが点滅することで、使用者に加熱手段１２ｂ（右加熱手段）側が設定中であることを認知させるようにしている。
【００６３】
また、加熱手段１２ａ（左加熱手段）側の表示手段である左加熱手段選択表示手段３６ａを点灯させておくことで、使用者に加熱手段１２ａ（左加熱手段）側の調理時間が設定されていることを認知させるようにしている。このようにして、使用者の利便性が損なわれないようにしている。
【００６４】
右加熱手段調理時間設定キー３５ｂを１回入力し加熱手段１２ｂ（右加熱手段）を選択しただけでは、調理時間の設定はまだ始まらず、図９（ｂ）に示すように表示手段１１に表示されていた加熱手段１２ａ（左加熱手段）の調理時間が消された状態である。
【００６５】
加熱手段１２ｂ（右加熱手段）を選択した後、続けて右加熱手段調理時間設定キー３５ｂを例えば７回入力すると、図１０（ａ）に示すように、制御手段２１により表示手段１１に設定時間７分が表示される。この状態から１分（第１の規定の時間）を超えて右加熱手段調理時間設定キー３５ｂの次の入力がなかった場合、これ以上調理時間の変更がないと制御手段２１が判断し、設定時間が確定する。
【００６６】
調理時間が確定した後、表示手段１１に表示される時間は調理時間の残時間である。図１０（ａ）に示す表示手段１１に表示された７分は加熱手段１２ｂ（右加熱手段）の調理時間の残時間である。ここから１分経過したら、制御手段２１により表示手段１１の表示は６分に変更され加熱手段１２ｂ（右加熱手段）の調理時間の残時間は６分ということになる。
【００６７】
また、調理時間が確定した後も加熱手段１２ｂ（右加熱手段）側の表示手段である右加熱手段選択表示手段３６ｂが点滅している。これは、加熱手段１２ａ（左加熱手段）と加熱手段１２ｂ（右加熱手段）が両方とも調理時間を設定している場合、現在表示手段に表示されている時間が、加熱手段１２ａ（左加熱手段）と加熱手段１２ｂ（右加熱手段）どちらの残時間であるかを使用者に認知させるためであり、点滅している方が残時間を表示している側である。
【００６８】
現在表示されていない側、加熱手段１２ａ（左加熱手段）の残時間を表示させるときは、左加熱手段調理時間設定キー３５ａを１回入力する。これにより、図１０（ｂ）に示すように、制御手段２１は加熱手段１２ａ（左加熱手段）側の表示手段である左加熱手段選択表示手段３６ａを点灯から点滅へ発光状態を変更し、使用者に加熱手段１２ａ（左加熱手段）が選択されていることを認知させ、表示手段１１に加熱手段１２ａ（左加熱手段）の調理時間の残時間である５分を表示させる。
【００６９】
表示を切替えるとき、図４に示す報知手段２８で切替えたことを報知させてもよい。報知手段２８は、例えば、スピーカーやブザー等の音声により報知を行うものである。
【００７０】
また、加熱手段１２ｂ（右加熱手段）は調理時間が設定されているので、制御手段２１は加熱手段１２ｂ（右加熱手段）の調理時間が設定されていることを使用者に認知させるため、右加熱手段選択表示手段３６ｂを点滅から点灯へ発光状態を変更する。
【００７１】
以上のように、１つの加熱手段である加熱手段１２ａ（左加熱手段）に対応する１つの入力手段である左加熱手段調理時間設定キー３５ａにより、調理時間を設定する加熱手段１２ａ（左加熱手段）の選択、調理時間の設定、調理時間の解除を行い、同様に、１つの加熱手段である加熱手段１２ｂ（右加熱手段）に対応する１つの入力手段である右加熱手段調理時間設定キー３５ｂにより、調理時間を設定する加熱手段１２ｂ（右加熱手段）の選択、調理時間の設定、調理時間の解除を行うようにしたので、使用者の操作性が損なわれず、利便性のよい加熱調理器１００が提供できる。
【００７２】
実施の形態２
（加熱調理器全体の構成）
以下図１１から図１５により、本発明の実施の形態２に係る加熱調理器の構成について説明する。ここで説明する加熱調理器は、加熱手段が３つ（３口ともいう）の加熱調理器で、さらに調理庫を備えたものを一例として挙げている。
【００７３】
図１１は本発明の実施の形態２に係る加熱調理器の外観斜視図、図１２は本発明の実施の形態２に係る加熱調理器の天板を外した状態の斜視図、図１３は本発明の実施の形態２に係る加熱調理器を上方から見た上面図、図１４は本発明の実施の形態２に係る加熱調理器を、図１１に示すＤＤ切断線で切断し側方から見た調理庫の部分断面図、図１５は本発明の実施の形態２に係る加熱調理器の概略の構成を示すブロック図である。
なお、それぞれの図において、同じ部分または相当する部分には同じ符号を付し、重複する部分の説明を簡略化あるいは省略することがある。
【００７４】
図１１に示すように加熱調理器２００は、箱状の本体５１の上部に天板５２が設けられている。本体５１は、図１２に示すように上面が開口しており、その内部には加熱手段６２ａ、６２ｂ、６２ｃが設けられており、上面の開口を天板５２が覆うようになっている。加熱手段６２ａは、正面側から見て左側にあるので左加熱手段ともいう。加熱手段６２ｂは、正面側から見て右側にあるので右加熱手段ともいう。加熱手段６２ｃは、正面側から見て加熱手段６２ａ（左加熱手段）と加熱手段６２ｂ（右加熱手段）の間で中央にあるので中央加熱手段ともいう。
【００７５】
天板５２は、例えばステンレス等の金属材で額縁状に形成された枠体５４と、図示しないシリコーンゴムを介して枠体５４に接着される結晶化ガラスで形成されたトッププレート５３で構成されている。
【００７６】
天板５２のトッププレート５３には、加熱手段６２ａ（左加熱手段）に対応する被加熱物を載置する場所及び加熱口であることを表す表示である、左被加熱物載置部（左加熱口表示）５３ａが設けられている。同じように、加熱手段６２ｂ（右加熱手段）に対応する被加熱物を載置する場所及び加熱口であることを表す表示である、右被加熱物載置部（右加熱口表示）５３ｂが設けられている。また、加熱手段６２ｃ（中央加熱手段）に対応する被加熱物を載置する場所及び加熱口であることを表す表示である、中央被加熱物載置部（中央加熱口表示）５３ｃが設けられている。
【００７７】
図１２には示していないが、本体５１内部には図１５に示すように加熱手段６２ａ（左加熱手段）に電力を供給する左加熱手段用電源回路７２と、加熱手段６２ｂ（右加熱手段）に電力を供給する右加熱手段用電源回路７３、加熱手段６２ｃ（中央加熱手段）に電力を供給する中央加熱手段用電源回路７４、加熱手段６２ａ（左加熱手段）、加熱手段６２ｂ（右加熱手段）及び加熱手段６２ｃ（中央加熱手段）の動作を制御する制御手段７１（本発明の実施の形態２ではマイコン）が設けられている。左加熱手段用電源回路７２、右加熱手段用電源回路７３、中央加熱手段用電源回路７４は図示しない基板上に構成された回路である。
【００７８】
本発明の実施の形態２では、前述のようにトッププレート５３上に載置された被加熱物を加熱する加熱手段が加熱手段６２ａ（左加熱手段）、加熱手段６２ｂ（右加熱手段）、加熱手段６２ｃ（中央加熱手段）と、３つ設けられている。
【００７９】
加熱手段としては、誘導加熱式やラジエントヒーターのような輻射式等の方式が選択可能であり、特に加熱方式の限定がされるものではない。加熱手段６２ａ（左加熱手段）、加熱手段６２ｂ（右加熱手段）、加熱手段６２ｃ（中央加熱手段）の何れもが誘導加熱式の加熱手段である場合、左加熱手段用電源回路７２、右加熱手段用電源回路７３、中央加熱手段用電源回路７４はインバーター回路となる。
【００８０】
加熱手段６２ａ（左加熱手段）、加熱手段６２ｂ（右加熱手段）、加熱手段６２ｃ（中央加熱手段）の何れかが誘導加熱式の加熱手段ではなく輻射式の加熱手段の場合、インバーター回路ではない電源回路でよい。本発明の実施の形態２では、少なくとも加熱手段６２ａ（左加熱手段）、加熱手段６２ｂ（右加熱手段）が誘導加熱式の加熱手段である場合を例として以降の説明をする。
【００８１】
誘導加熱式の加熱手段及びインバーター回路は、動作中に高温となるため冷却が必要となる。そのため、図１２には示していないが、本体１内部には図１５に示すように送風手段７９が設けられている。
【００８２】
送風手段７９は、図示しない吸込み口から本体外部の空気を吸込み、加熱手段６２ａ（左加熱手段）、加熱手段６２ｂ（右加熱手段）、左加熱手段用電源回路７２が構成された図示しない基板、右加熱手段用電源回路７３が構成された図示しない基板に向け空気を送風し冷却する。
【００８３】
加熱手段６２ａ（左加熱手段）、加熱手段６２ｂ（右加熱手段）、左加熱手段用電源回路７２が構成された図示しない基板、右加熱手段用電源回路７３が構成された図示しない基板を冷却した空気は、天板５２の背面側に設けられた図示しない排気口から排気口カバー５２ａ、５２ｂを通り本体外へ排出される。なお、本発明の実施の形態２では排気口カバーを２つのカバーとしたが、これに限定されるものではなく、大きい１つのカバーとしてもよい。
【００８４】
図１２に示すように本体５１内部には表示手段６１が設けられている。後述する操作部５５には、表示手段６１に対応する位置に表示窓５５ｂが設けられている。表示窓５５ｂは、表示手段６１の表示内容を透過して見えるようにしている。表示手段６１は、加熱手段６２ａ（左加熱手段）、加熱手段６２ｂ（右加熱手段）、加熱手段６２ｃ（中央加熱手段）及び後述する調理庫加熱手段５７のための、設定した調理時間を表示するものである。表示手段６１は調理時間を表示するものであるので、例えば７セグのＬＥＤが使用されることが多いが、液晶表示手段であってもよい。
【００８５】
図１４に示すように本体５１内部には調理庫５６が設けられている。調理庫５６は、魚や肉等の主に焼き物の調理が行われる被調理を内部に収容して調理するものである。図１４に示す調理庫扉５６ａは、焼き網５６ｂが載置された受け皿５６ｃと連結されている。
【００８６】
調理庫扉５６ａを正面側に引き出すと、調理庫扉５６ａに連結した受け皿５６ｃと、受け皿５６ｃに載置された焼き網５６ｂも一緒に引き出されるので、引き出された焼き網５６ｂに被調理物を載せて調理庫扉５６ａを押し込むと、被調理物が調理庫５６内に収容されて調理可能な状態となる。
【００８７】
調理庫５６は、図１４に示すように、例えばシーズヒーターのような輻射式の加熱手段である上部加熱手段５７ａと背面部加熱手段５７ｂとで構成された調理庫加熱手段５７を有している。なお、本発明の実施の形態２では調理庫加熱手段５７を上部加熱手段５７ａと背面部加熱手段５７ｂとで構成するようにしたが、これに限定されるものではなく、上部加熱手段と下部加熱手段の構成でもよい。また、輻射式の加熱手段ではなく誘導加熱式の加熱手段でもよく、加熱手段の構成、方式は適宜選択可能である。
【００８８】
調理庫加熱手段５７は、図１２には示していないが、本体５１内部に設けられた図１５に示す調理庫加熱手段用電源回路７５から電力が供給される。調理庫加熱手段用電源回路７５は図示しない基板上に構成された回路である。調理庫加熱手段５７は制御手段７１（本発明の実施の形態２ではマイコン）により制御される。
【００８９】
（加熱調理器操作部の構成）
次に、以下図１６から図１９により、本発明の実施の形態２に係る加熱調理器の操作部の構成について説明する。
【００９０】
図１６（ａ）は図１３に示すＥ部の拡大図、（ｂ）は図１３に示すＥ部の拡大図で、左加熱手段の切入キーを押下して火力ダウンまたはアップキーで基準の火力を入れたときの状態図、（ｃ）は図１３に示すＥ部の拡大図で、火力設定キーで火力を下げたときの状態図、（ｄ）は図１３に示すＥ部の拡大図で、火力設定キーで火力を上げたときの状態図、図１７（ａ）は図１３に示すＦ部の拡大図、（ｂ）は図１３に示すＦ部の拡大図で、右加熱手段の切入キーを押下して火力ダウンまたはアップキーで基準の火力を入れたときの状態図、（ｃ）は図１３に示すＦ部の拡大図で、火力設定キーで火力を下げたときの状態図、（ｄ）は図１３に示すＦ部の拡大図で、火力設定キーで火力を上げたときの状態図、図１８（ａ）は図１３に示すＧ部の拡大図、（ｂ）は図１３に示すＧ部の拡大図で中央加熱手段の切入キーを押下して火力ダウンまたはアップキーで基準の火力を入れたときの状態図、（ｃ）は図１３に示すＧ部の拡大図で、火力設定キーで火力を下げたときの状態図、（ｄ）は図１３に示すＧ部の拡大図で、火力設定キーで火力を上げたときの状態図、図１９（ａ）は図１３に示すＧ部の拡大図で、中央加熱手段に代えて調理庫加熱手段を選択したときの状態図、（ｂ）は図１３に示すＧ部の拡大図で調理庫加熱手段の切入キーを押下して火力ダウンまたはアップキーで基準の火力を入れたときの状態図、（ｃ）は図１３に示すＧ部の拡大図で、火力設定キーで火力を下げたときの状態図、（ｄ）は図１３に示すＧ部の拡大図で、火力設定キーで火力を上げたときの状態図である。
なお、それぞれの図において、同じ部分または相当する部分には同じ符号を付し、重複する部分の説明を簡略化あるいは省略することがある。
【００９１】
天板５２の正面側の枠体５４には、操作部５５が設けられている。操作部５５には、加熱調理器２００の電源を切入する主電源キー５５ａが設けられている。また、操作部５５には図１３で示すＥ部に、図１６（ａ）で示すように加熱手段６２ａ（左加熱手段）の切入をする左加熱手段切入キー８１ａ、加熱手段６２ａ（左加熱手段）の火力を下げる左加熱手段火力ダウンキー８１ｂ、加熱手段６２ａ（左加熱手段）の火力を上げる左加熱手段火力アップキー８１ｃ、加熱手段６２ａ（左加熱手段）の火力を表示する左加熱手段火力１表示手段８２ａ、左加熱手段火力２表示手段８２ｂ、左加熱手段火力３表示手段８２ｃ、左加熱手段火力４表示手段８２ｄ、左加熱手段火力５表示手段８２ｅ、左加熱手段火力６表示手段８２ｆ、左加熱手段火力７表示手段８２ｇ、左加熱手段火力８表示手段８２ｈ、左加熱手段火力９表示手段８２ｉが設けられている。
【００９２】
さらに、操作部５５には図１３で示すＦ部に、図１７（ａ）で示すように加熱手段６２ｂ（右加熱手段）の切入をする右加熱手段切入キー８３ａ、加熱手段６２ｂ（右加熱手段）の火力を下げる右加熱手段火力ダウンキー８３ｂ、加熱手段６２ｂ（右加熱手段）の火力を上げる右加熱手段火力アップキー８３ｃ、加熱手段６２ｂ（右加熱手段）の火力を表示する右加熱手段火力１表示手段８４ａ、右加熱手段火力２表示手段８４ｂ、右加熱手段火力３表示手段８４ｃ、右加熱手段火力４表示手段８４ｄ、右加熱手段火力５表示手段８４ｅ、右加熱手段火力６表示手段８４ｆ、右加熱手段火力７表示手段８４ｇ、右加熱手段火力８表示手段８４ｈ、右加熱手段火力９表示手段８４ｉが設けられている。
【００９３】
それから、操作部５５には図１３で示すＧ部に、図１８（ａ）及び図１９（ａ）で示すように、加熱手段６２ｃ（中央加熱手段）と調理庫加熱手段５７とを選択的に切替える中央／調理庫加熱手段切替キー８７と、調理庫加熱手段５７を選択していることを使用者に認知させるための表示である調理庫切替時表示手段８７ａが設けられている。図１９（ａ）に示すように、調理庫加熱手段５７を選択しているときは調理庫切替時表示手段８７ａが点灯し、使用者が調理庫加熱手段５７を選択していることを理解できるようにしている。
【００９４】
なぜ、加熱手段６２ｃ（中央加熱手段）と調理庫加熱手段５７とを選択的に切替えるかというと、加熱手段６２ｃ（中央加熱手段）と調理庫加熱手段５７とで加熱手段の切入をする加熱手段切入キーを共用するためである。
【００９５】
図１３で示すＧ部に、図１８（ａ）及び図１９（ａ）で示すように、加熱手段６２ｃ（中央加熱手段）あるいは調理庫加熱手段５７の切入をする中央／調理庫加熱手段切入キー８５ａ、加熱手段６２ｃ（中央加熱手段）あるいは調理庫加熱手段５７の火力を下げる中央／調理庫加熱手段火力ダウンキー８５ｂ、加熱手段６２ｃ（中央加熱手段）あるいは調理庫加熱手段５７の火力を上げる中央／調理庫加熱手段火力アップキー８５ｃ、加熱手段６２ｃ（中央加熱手段）あるいは調理庫加熱手段５７の火力を表示する中央／調理庫加熱手段火力１表示手段８６ａ、中央／調理庫加熱手段火力２表示手段８６ｂ、中央／調理庫加熱手段火力３表示手段８６ｃ、中央／調理庫加熱手段火力４表示手段８６ｄ、中央／調理庫加熱手段火力５表示手段８６ｅが設けられている。
【００９６】
さらに、操作部５には図１３で示すＨ部に、図２０（ａ）で示すように加熱手段６２ａ（左加熱手段）を選択し、加熱手段６２ａ（左加熱手段）の調理時間を設定する左加熱手段調理時間設定キー８８ａ、加熱手段６２ｂ（右加熱手段）を選択し、加熱手段６２ｂ（右加熱手段）の調理時間を設定する右加熱手段調理時間設定キー８８ｂ、加熱手段６２ｃ（中央加熱手段）を選択し、加熱手段６２ｃ（中央加熱手段）の調理時間を設定する中央加熱手段調理時間設定キー８８ｃ、調理庫加熱手段５７を選択し、調理庫加熱手段５７の調理時間を設定する調理庫加熱手段調理時間設定キー８８ｄ、加熱手段６２ａ（左加熱手段）を選択していることを表示する左加熱手段選択表示手段８９ａ、加熱手段６２ｂ（右加熱手段）を選択していることを表示する右加熱手段選択表示手段８９ｂ、加熱手段６２ｃ（中央加熱手段）を選択していることを表示する中央加熱手段選択表示手段８９ｃ、調理庫加熱手段５７を選択していることを表示する調理庫加熱手段選択表示手段８９ｄが設けられている。
【００９７】
なお、左加熱手段調理時間設定キー８８ａ、右加熱手段調理時間設定キー８８ｂ、中央加熱手段調理時間設定キー８８ｃ、調理庫加熱手段調理時間設定キー８８ｄは、調理時間を設定するために加熱手段１２ａ（左加熱手段）、加熱手段１２ｂ（右加熱手段）、加熱手段６２ｃ（中央加熱手段）、調理庫加熱手段５７を選択するキーであり、火力設定や切入のキーとは別に設けられているものである。
【００９８】
また、左加熱手段調理時間設定キー８８ａはキー上に１で表されているが、これは加熱手段６２ａ（左加熱手段）に対応している。つまり、１は加熱手段６２ａ（左加熱手段）を表している。同様に、右加熱手段調理時間設定キー８８ｂはキー上に２で表されているが、これは加熱手段６２ｂ（右加熱手段）に対応している。つまり、２は加熱手段６２ｂ（右加熱手段）を表している。
【００９９】
また、中央加熱手段調理時間設定キー８８ｃはキー上に３で表されているが、これは加熱手段６２ｃ（中央加熱手段）に対応している。つまり、３は加熱手段６２ｃ（右加熱手段）を表している。調理庫加熱手段調理時間設定キー８８ｄはキー上に４とグリル／オーブンが記載されているので、調理庫加熱手段５７に対応していることを表している。
【０１００】
前述のように、表示手段６１の表示内容は、操作部５５の表示窓５５ｂを透過して見えるようになっていて、７セグを２つ並べた構成で、左加熱手段調理時間設定キー８８ａ、右加熱手段調理時間設定キー８８ｂ、中央加熱手段調理時間設定キー８８ｃ、調理庫加熱手段調理時間設定キー８８ｄ、左加熱手段選択表示手段８９ａ、右加熱手段選択表示手段８９ｂ、中央加熱手段選択表示手段８９ｃ、調理庫加熱手段選択表示手段８９ｄの近くに表示されるようになっている。
【０１０１】
（加熱手段の選択、調理時間の設定）
次に、以下図２０から図２５及び前述の図１６から図１９により、本発明の実施の形態２に係る加熱調理器の加熱手段の選択、調理時間の設定について説明する。
【０１０２】
図２０（ａ）は図１３に示すＨ部の拡大図、（ｂ）は図１３に示すＨ部の拡大図で１（左加熱手段調理時間設定）キーを押下して調理時間の設定をする左加熱手段を選択したときの状態図、（ｃ）は図１３に示すＨ部の拡大図で１（左加熱手段調理時間設定）キーを押下して調理時間を設定しているときの状態図、（ｄ）は図１３に示すＨ部の拡大図で１（左加熱手段調理時間設定）キーを押下して調理時間を増やしているときの状態図、図２１（ａ）は図１３に示すＨ部の拡大図で１（左加熱手段調理時間設定）キーを押下して調理時間を最大時間まで設定したときの状態図、（ｂ）は図２１（ａ）の状態（調理時間を最大時間まで設定した状態）から１（左加熱手段調理時間設定）キーを押下して調理時間設定を解除したときの状態図、図２２（ａ）は図１３に示すＨ部の拡大図で１（左加熱手段調理時間設定）キーを押下して調理時間の設定が完了したときの状態図、（ｂ）は図２２（ａ）の状態（調理時間の設定が完了した状態）から２（右加熱手段調理時間設定）キーを押下して調理時間の設定をする右加熱手段を選択したときの状態図、図２３（ａ）は図１３に示すＨ部の拡大図で２（右加熱手段調理時間設定）キーを押下して調理時間の設定が完了したときの状態図、（ｂ）は図２３（ａ）の状態（調理時間の設定が完了した状態）から４（調理庫加熱手段調理時間設定）キーを押下して調理時間の設定をする調理庫加熱手段を選択したときの状態図、図２４（ａ）は図１３に示すＨ部の拡大図で４（調理庫加熱手段調理時間設定）キーを押下して調理時間の設定が完了したときの状態図、（ｂ）は図２４（ａ）の状態（調理時間の設定が完了した状態）から、最初に調理時間が完了する左加熱手段の調理時間が表示されたときの状態図、図２５（ａ）は図１３に示すＨ部の拡大図で左加熱手段の調理時間が完了し時間表示が消されたときの状態図、（ｂ）は図２５（ａ）の状態（左加熱手段の調理時間が完了し時間表示が消された状態）から、次に調理時間が完了する右加熱手段の調理時間が表示されたときの状態図である。
なお、それぞれの図において、同じ部分または相当する部分には同じ符号を付し、重複する部分の説明を簡略化あるいは省略することがある。
【０１０３】
前述の主電源キー５５ａ（図１１、図１３参照）で加熱調理器２００の電源を入れると、加熱手段６２ａ（左加熱手段）の切入をする左加熱手段切入キー８１ａ、加熱手段６２ｂ（右加熱手段）の切入をする右加熱手段切入キー８３ａ、加熱手段６２ｃ（中央加熱手段）の切入をする中央／調理庫加熱手段切入キー８５ａの入力が可能な状態となる。調理庫加熱手段５７の切入をする場合は、中央／調理庫加熱手段切替キー８７で調理庫加熱手段５７を選択しておく必要がある。
【０１０４】
まず、加熱手段６２ａ（左加熱手段）の入力、火力の調整について図１６により説明する。主電源キー５５ａにより電源が入った状態から左加熱手段切入キー８１ａを入力すると、制御手段７１により加熱手段６２ａ（左加熱手段）の火力の調整の待機状態となり、この状態から左加熱手段火力ダウンキー８１ｂあるいは左加熱手段火力アップキー８１ｃの何れかを１回入力すると、基準の火力４で通電が開始される。火力４での通電開始は、図１６（ｂ）に示すように、左加熱手段火力１表示手段８２ａ、左加熱手段火力２表示手段８２ｂ、左加熱手段火力３表示手段８２ｃ、左加熱手段火力４表示手段８２ｄが制御手段７１により発光、点灯することで、使用者が確認できるようになる。
【０１０５】
この火力４の状態から火力を下げるように調整したいときは、左加熱手段火力ダウンキー８１ｂを１回入力すると、図１６（ｃ）に示すように、左加熱手段火力４表示手段８２ｄが制御手段７１により消灯し、火力３に変更される。
【０１０６】
図示しないが、続けて左加熱手段火力ダウンキー８１ｂを１回入力すると、左加熱手段火力３表示手段８２ｃが制御手段７１により消灯し、火力２に変更される。さらに左加熱手段火力ダウンキー８１ｂを１回入力すると、左加熱手段火力２表示手段８２ｂが制御手段７１により消灯し、最低設定火力の火力１に変更され、これ以下は下がらない。
【０１０７】
火力４の状態から火力を上げるように調整したいときは、左加熱手段火力アップキー８１ｃを１回入力すると、図１６（ｄ）に示すように、左加熱手段火力５表示手段８２ｅが制御手段７１により発光、点灯し、火力５に変更される。
【０１０８】
図示しないが、続けて左加熱手段火力アップキー８１ｃを１回入力すると、左加熱手段火力６表示手段８２ｆが制御手段７１により発光、点灯し、火力６に変更される。さらに左加熱手段火力アップキー８１ｃを１回入力すると、左加熱手段火力７表示手段８２ｇが制御手段７１により発光、点灯し、火力７に変更、さらに左加熱手段火力アップキー３１ｃを１回入力すると、左加熱手段火力８表示手段８２ｈが制御手段７１により発光、点灯し、火力８に変更、さらに左加熱手段火力アップキー８１ｃを１回入力すると、左加熱手段火力９表示手段８２ｉが制御手段７１により発光、点灯し、火力９に変更、最大設定火力の火力９に変更されてこれ以上は上がらない。
【０１０９】
次に、加熱手段６２ｂ（右加熱手段）の入力、火力の調整について図１７により説明する。主電源キー５５ａにより電源が入った状態から右加熱手段切入キー８３ａを入力すると、制御手段７１により加熱手段６２ｂ（右加熱手段）の火力の調整の待機状態となり、この状態から右加熱手段火力ダウンキー８３ｂあるいは右加熱手段火力アップキー８３ｃの何れかを１回入力すると、基準の火力４で通電が開始される。火力４での通電開始は、図１７（ｂ）に示すように、右加熱手段火力１表示手段８４ａ、右加熱手段火力２表示手段８４ｂ、右加熱手段火力３表示手段８４ｃ、右加熱手段火力４表示手段８４ｄが制御手段７１により発光、点灯することで、使用者が確認できるようになる。
【０１１０】
この火力４の状態から火力を下げるように調整したいときは、右加熱手段火力ダウンキー８３ｂを１回入力すると、図１７（ｃ）に示すように、右加熱手段火力４表示手段８４ｄが制御手段７１により消灯し、火力３に変更される。
【０１１１】
図示しないが、続けて右加熱手段火力ダウンキー８３ｂを１回入力すると、右加熱手段火力３表示手段８４ｃが制御手段７１により消灯し、火力２に変更される。さらに右加熱手段火力ダウンキー８３ｂを１回入力すると、右加熱手段火力２表示手段８４ｂが制御手段７１により消灯し、最小設定火力の火力１に変更され、これ以下は下がらない。
【０１１２】
火力４の状態から火力を上げるように調整したいときは、右加熱手段火力アップキー８３ｃを１回入力すると、図１７（ｄ）に示すように、右加熱手段火力５表示手段８４ｅが制御手段７１により発光、点灯し、火力５に変更される。
【０１１３】
図示しないが、続けて右加熱手段火力アップキー８３ｃを１回入力すると、右加熱手段火力６表示手段８４ｆが制御手段２１により発光、点灯し、火力６に変更される。さらに右加熱手段火力アップキー８３ｃを１回入力すると、右加熱手段火力７表示手段８４ｇが制御手段７１により発光、点灯し、火力７に変更、さらに右加熱手段火力アップキー８３ｃを１回入力すると、右加熱手段火力８表示手段８４ｈが制御手段７１により発光、点灯し、火力８に変更、さらに右加熱手段火力アップキー８３ｃを１回入力すると、右加熱手段火力９表示手段８４ｉが制御手段７１により発光、点灯し、火力９に変更、最大設定火力の火力９に変更されてこれ以上には上がらない。
【０１１４】
次に、加熱手段６２ｃ（中央加熱手段）の入力、火力の調整について図１８により説明する。加熱手段６２ｃ（中央加熱手段）は、加熱手段６２ａ（左加熱手段）や加熱手段６２ｂ（右加熱手段）に比べ火力が小さくなっており、加熱手段６２ａ（左加熱手段）や加熱手段６２ｂ（右加熱手段）に対し、基準の火力も小さくなっている。
【０１１５】
主電源キー５５ａにより電源が入った状態から中央／調理庫加熱手段切入キー８５ａを入力すると、図１８（ａ）に示すように、調理庫切替時表示手段８７ａが点灯していないので調理庫加熱手段５７は選択されておらず、加熱手段６２ｃ（中央加熱手段）が選択されている状態となり、この状態から中央／調理庫加熱手段火力ダウンキー８５ｂあるいは中央／調理庫加熱手段火力アップキー８５ｃの何れかを１回入力すると、制御手段７１により加熱手段６２ｃ（中央加熱手段）が基準の火力３で通電開始される。
【０１１６】
加熱手段６２ｃ（中央加熱手段）が火力３で通電を開始したことは、図１８（ｂ）に示すように、調理庫切替時表示手段８７ａが点灯していないことと、中央／調理庫加熱手段火力１表示手段８６ａ、中央／調理庫加熱手段火力２表示手段８６ｂ、中央／調理庫加熱手段火力３表示手段８６ｃが制御手段７１により発光、点灯することで、使用者が確認できるようになる。
【０１１７】
この火力３の状態から火力を下げるように調整したいときは、中央／調理庫加熱手段火力ダウンキー８５ｂを１回入力すると、図１８（ｃ）に示すように、中央／調理庫加熱手段火力３表示手段８６ｃが制御手段７１により消灯し、火力２に変更される。
【０１１８】
図示しないが、続けて中央／調理庫加熱手段火力ダウンキー８５ｂを１回入力すると、中央／調理庫加熱手段火力２表示手段８６ｂが制御手段７１により消灯し、最小設定火力の火力１に変更され、これ以下は下がらない。
【０１１９】
火力３の状態から火力を上げるように調整したいときは、中央／調理庫加熱手段火力アップキー８５ｃを１回入力すると、図１８（ｄ）に示すように、中央／調理庫加熱手段火力４表示手段８６ｄが制御手段７１により発光、点灯し、火力４に変更される。
【０１２０】
図示しないが、続けて中央／調理庫加熱手段火力アップキー８５ｃを１回入力すると、中央／調理庫加熱手段火力５表示手段８６ｅが制御手段７１により発光、点灯し、火力５に変更、最大設定火力の火力５に変更されてこれ以上には上がらない。
【０１２１】
次に、調理庫加熱手段５７の入力、火力の調整について図１９により説明する。調理庫加熱手段５７の火力設定は加熱手段６２ｃ（中央加熱手段）と同等になっている。
【０１２２】
主電源キー５５ａにより電源が入った状態から中央／調理庫加熱手段切入キー８５ａを入力すると、図１９（ｂ）に示すように、調理庫切替時表示手段８７ａが点灯しているので調理庫加熱手段５７が選択されている状態であり、この状態から中央／調理庫加熱手段火力ダウンキー８５ｂあるいは中央／調理庫加熱手段火力アップキー８５ｃの何れかを１回入力すると、制御手段７１により調理庫加熱手段５７が基準の火力３で通電開始される。
【０１２３】
なお、本発明の実施の形態２では、中央加熱手段の切入キーと調理庫加熱手段の切入キーを１つの共通キーとしたが、中央加熱手段の切入キーと調理庫加熱手段の切入キーをそれぞれ個別に設けてもよく、中央加熱手段の切入キーと調理庫加熱手段の切入キーを共通にするか、個別にするかは適宜選択可能である。
【０１２４】
調理庫加熱手段５７が火力３で通電を開始したことは、図１９（ｂ）に示すように、調理庫切替時表示手段８７ａが点灯していることと、中央／調理庫加熱手段火力１表示手段８６ａ、中央／調理庫加熱手段火力２表示手段８６ｂ、中央／調理庫加熱手段火力３表示手段８６ｃが制御手段７１により発光、点灯することで、使用者が確認できるようになる。
【０１２５】
この火力３の状態から火力を下げるように調整したいときは、中央／調理庫加熱手段火力ダウンキー８５ｂを１回入力すると、図１９（ｃ）に示すように、中央／調理庫加熱手段火力３表示手段８６ｃが制御手段７１により消灯し、火力２に変更される。
【０１２６】
図示しないが、続けて中央／調理庫加熱手段火力ダウンキー８５ｂを１回入力すると、中央／調理庫加熱手段火力２表示手段８６ｂが制御手段７１により消灯し、最小設定火力の火力１に変更され、これ以下は下がらない。
【０１２７】
火力３の状態から火力を上げるように調整したいときは、中央／調理庫加熱手段火力アップキー８５ｃを１回入力すると、図１９（ｄ）に示すように、中央／調理庫加熱手段火力４表示手段８６ｄが制御手段７１により発光、点灯し、火力４に変更される。
【０１２８】
図示しないが、続けて中央／調理庫加熱手段火力アップキー８５ｃを１回入力すると、中央／調理庫加熱手段火力５表示手段８６ｅが制御手段７１により発光、点灯し、火力５に変更、最大設定火力の火力５に変更されてこれ以上には上がらない。
【０１２９】
本発明の実施の形態２では、加熱手段６２ａ（左加熱手段）と加熱手段６２ｂ（右加熱手段）は火力設定を９段階として、例えばそれぞれ火力１は１５０Ｗ、火力２は３００Ｗ、火力３は５００Ｗ、火力４は７５０Ｗ、火力５は１０００Ｗ、火力６は１５００Ｗ、火力７は２０００Ｗ、火力８は２５００Ｗ、火力９は３０００Ｗのように設定されている。
【０１３０】
また、加熱手段６２ｃ（中央加熱手段）は火力設定を５段階として、例えばそれぞれ火力１は２００Ｗ、火力２は５００Ｗ、火力３は７５０Ｗ、火力４は１０００Ｗ、火力５は１５００Ｗのように設定されている。
【０１３１】
調理庫加熱手段５７は、火力設定を５段階として、例えばそれぞれ火力１は８００Ｗ、火力２は１１５０Ｗ、火力３は１３００Ｗ、火力４は１７００Ｗ、火力５は２０００Ｗのように設定されている。
【０１３２】
加熱手段６２ｃ（中央加熱手段）と調理庫加熱手段５７は、火力設定が同じ５段階であり設定キーを共用しているが、火力の強さを同じにする必要はなく、加熱手段６２ｃ（中央加熱手段）と調理庫加熱手段５７で火力に対するＷは異なる設定となっている。
【０１３３】
なお、火力設定の９段階、５段階はこれに限定されるものではなく、９段階、５段階より多い設定としてもよいし、９段階、５段階より少ない設定としてもよく適宜設定可能である。また、最小設定火力及び最大設定火力もこれに限定されるものではなく、適宜設定可能である。
【０１３４】
次に、調理時間設定時の加熱手段の選択、調理時間の設定、調理時間の設定の解除について図２０から図２５により説明する。
【０１３５】
加熱手段６２ａ（左加熱手段）の調理時間を設定する場合、加熱手段６２ａ（左加熱手段）の通電が開始されていることが前提となる。つまり、加熱手段６２ａ（左加熱手段）の通電が開始されていないと、加熱手段６２ａ（左加熱手段）の調理時間の設定はできないということである。
【０１３６】
同様に、加熱手段６２ｂ（右加熱手段）、加熱手段６２ｃ（中央加熱手段）、調理庫加熱手段５７の調理時間を設定する場合、それぞれの通電が開始されていることが前提となる。つまり、それぞれ加熱手段の通電が開始されていないと、調理時間の設定はできないということである。
【０１３７】
加熱手段６２ａ（左加熱手段）の通電が開始されている状態で、前述のように加熱手段６２ａ（左加熱手段）に対応する１で表された左加熱手段調理時間設定キー８１ａを１回入力すると、図２０（ｂ）に示すように加熱手段６２ａ（左加熱手段）を選択したことを表示する左加熱手段選択表示手段８９ａが制御手段７１により発光、点滅する。左加熱手段調理時間設定キー８８ａを１回入力し加熱手段６２ａ（左加熱手段）を選択しただけでは、調理時間の設定はまだ始まらない。
【０１３８】
加熱手段６２ａ（左加熱手段）を選択した後、続けて左加熱手段調理時間設定キー８８ａを１回入力すると、図２０（ｃ）に示すように、制御手段７１により表示手段６１に最小設定時間の１が表示される。ここで時間の単位は分であり、つまり表示手段６１に表示された１は１分を表している。
【０１３９】
続けて左加熱手段調理時間設定キー８８ａを、例えば６回入力すると、図２０（ｄ）に示すように、制御手段７１により表示手段６１に設定時間７分が表示される。
なお、本発明の実施の形態２では１回の入力毎に１分ずつ増えていく例で説明したが、左加熱手段調理時間設定キー８８ａを１回押しではなく長押しすることで、調理時間を増やしていくようにしてもよい。
【０１４０】
左加熱手段調理時間設定キー８８ａを連続して入力し続けると、制御手段７１により最大設定時間まで調理時間が増えていく。本発明の実施の形態２では図２１（ａ）に示す９０分を最大設定時間としている。但し、調理時間の最大設定時間はこれに限定されるものではなく、９９分としてもよいし、７セグの表示を３桁として最大設定時間を長くしてもよく、表示方法は適宜選択可能である。
【０１４１】
図２１（ａ）に示す最大設定時間９０分まで入力を終えた後、さらに左加熱手段調理時間設定キー８８ａを入力すると制御手段７１により調理時間の設定は解除され、図２１（ｂ）に示すように表示手段６１に表示されていた調理時間の表示は消される。
【０１４２】
このとき、調理時間の設定は解除されても加熱手段６２ａ（左加熱手段）を選択したことは解除されていないので、制御手段７１は左加熱手段選択表示手段８９ａの発光、点滅は継続している。この継続される発光、点滅は調理時間の設定が解除されてから一定の時間、例えば１分以上次の入力がなかった場合、調理時間の変更がないと制御手段７１が判断し、消灯させるようにしてもよい。
【０１４３】
このように、左加熱手段調理時間設定キー８８ａ１つで、加熱手段６２ａ（左加熱手段）の調理時間を設定するときの加熱手段６２ａ（左加熱手段）の選択、調理時間の設定入力、設定解除を行うので使用者の操作性を損なわず、快適に操作ができる。
【０１４４】
次に、加熱手段６２ａ（左加熱手段）、加熱手段６２ｂ（右加熱手段）、調理庫加熱手段５７、それぞれに調理時間を設定する場合について図２２〜図２５により説明する。
【０１４５】
左加熱手段調理時間設定キー８８ａを入力することにより、図２２（ａ）に示すように、表示手段６１に設定時間７分を表示させる。設定時間は入力直後にはまだ確定しないようになっている。設定時間７分が表示されてから、言い換えると左加熱手段調理時間設定キー８８ａの入力から、例えば待機時間を１分（第１の規定の時間）とし、１分（第１の規定の時間）を超えても左加熱手段調理時間設定キー８８ａの次の入力がなかった場合、これ以上調理時間の変更がないと制御手段７１が判断し、設定時間が確定する。このように次の入力までの時間を確保することで、使用者が設定の途中で調理時間が確定してしまうことがないよう、使用者の利便性が損なわれない配慮をしている。
なお、例として待機時間を１分としたがこれに限定されるものではなく、使用者の利便性が損なわれない範囲で５０秒や１分３０秒等としてもよい。
また、調理時間を設定しているときと、調理時間が確定したときで、左加熱手段選択表示手段３６ａの発光色を異なる色、例えば、調理時間を設定しているときは赤色、調理時間が確定したら青色で発光させるようにすると、調理時間が確定したことが理解しやすくなる。
【０１４６】
加熱手段６２ａ（左加熱手段）の調理時間の設定が完了した後、加熱手段６２ｂ（右加熱手段）の調理時間を設定する場合、図２２（ａ）の状態から、加熱手段６２ｂ（右加熱手段）に対応する２で表された右加熱手段調理時間設定キー８８ｂを１回入力すると、図２２（ｂ）に示すように、加熱手段６２ｂ（右加熱手段）を選択したことを表示する右加熱手段選択表示手段８９ｂが制御手段７１により発光、点滅する。
【０１４７】
このとき、制御手段７１は左加熱手段選択表示手段８９ａの発光状態を、点滅から点灯に変更する。そして、表示手段６１に表示されていた加熱手段６２ａ（左加熱手段）の調理時間を消す。
【０１４８】
このように調理時間を設定する加熱手段６２ｂ（右加熱手段）の表示手段である右加熱手段選択表示手段８９ｂが点滅することで、使用者に加熱手段６２ｂ（右加熱手段）が設定中であることを認知させるようにしている。また、加熱手段６２ａ（左加熱手段）の表示手段である左加熱手段選択表示手段８９ａを点灯させておくことで、使用者に加熱手段６２ａ（左加熱手段）の調理時間が設定されていることを認知させるようにしている。このようにして、使用者の利便性が損なわれないようにしている。
【０１４９】
右加熱手段調理時間設定キー８８ｂを１回入力し加熱手段６２ｂ（右加熱手段）を選択しただけでは、調理時間の設定はまだ始まらず、図２２（ｂ）に示すように表示手段６１に表示されていた加熱手段６２ａ（左加熱手段）の調理時間が消された状態である。
【０１５０】
加熱手段６２ｂ（右加熱手段）を選択した後、続けて右加熱手段調理時間設定キー８８ｂを例えば９回入力すると、図２３（ａ）に示すように、制御手段７１により表示手段６１に設定時間９分が表示される。この状態から１分（第１の規定の時間）を超えて右加熱手段調理時間設定キー８８ｂの次の入力がなかった場合、これ以上調理時間の変更がないと制御手段７１が判断し、設定時間が確定する。
【０１５１】
加熱手段６２ｂ（右加熱手段）の調理時間の設定が完了した後、調理庫加熱手段５７の調理時間を設定する場合、図２３（ａ）の状態から、調理庫加熱手段５７に対応する４で表された調理庫加熱手段調理時間設定キー８８ｄを１回入力すると、図２３（ｂ）に示すように、調理庫加熱手段５７を選択したことを表示する調理庫加熱手段選択表示手段８９ｄが制御手段７１により発光、点滅する。
【０１５２】
このとき、制御手段７１は右加熱手段選択表示手段８９ｂの発光状態を、点滅から点灯に変更する。加熱手段６２ａ（左加熱手段）も調理時間が設定されているので、引き続き左加熱手段選択表示手段８９ａは点灯している。そして、表示手段６１に表示されていた加熱手段６２ｂ（右加熱手段）の調理時間を消す。
【０１５３】
このように調理時間を設定する調理庫加熱手段５７の表示手段である調理庫加熱手段選択表示手段８９ｄが点滅することで、使用者に調理庫加熱手段５７が設定中であることを認知させるようにしている。また、加熱手段６２ａ（左加熱手段）の表示手段である左加熱手段選択表示手段８９ａ、加熱手段６２ｂ（右加熱手段）の表示手段である右加熱手段選択表示手段８９ｂを点灯させておくことで、使用者に加熱手段６２ａ（左加熱手段）、加熱手段６２ｂ（右加熱手段）の調理時間が設定されていることを認知させるようにしている。このようにして、使用者の利便性が損なわれないようにしている。
【０１５４】
調理庫加熱手段調理時間設定キー８８ｄを１回入力し調理庫加熱手段５７を選択しただけでは、調理時間の設定はまだ始まらず、図２３（ｂ）に示すように表示手段６１に表示されていた加熱手段６２ａ（左加熱手段）の調理時間が消された状態である。
【０１５５】
調理庫加熱手段５７を選択した後、続けて調理庫加熱手段調理時間設定キー８８ｄを例えば７回入力すると、図２４（ａ）に示すように、制御手段７１により表示手段６１に設定時間７分が表示される。この状態から１分（第１の規定の時間）を超えて調理庫加熱手段調理時間設定キー８８ｄの次の入力がなかった場合、これ以上調理時間の変更がないと制御手段７１が判断し、設定時間が確定する。
【０１５６】
調理時間が確定した後、表示手段６１に表示される時間は調理時間の残時間である。図２４（ａ）に示す表示手段６１に表示された７分は調理庫加熱手段５７の調理時間の残時間である。ここから１分経過したら制御手段７１により表示手段６１の表示は６分に変更され、調理庫加熱手段５７の調理時間の残時間は６分ということになる。
【０１５７】
また、調理時間が確定した後も調理庫加熱手段５７の表示手段である調理庫加熱手段選択表示手段８９ｄが点滅している。これは、調理庫加熱手段５７、加熱手段６２ａ（左加熱手段）と加熱手段６２ｂ（右加熱手段）が何れも調理時間を設定している場合、現在表示手段に表示されている時間が、調理庫加熱手段５７、加熱手段６２ａ（左加熱手段）と加熱手段６２ｂ（右加熱手段）、何れの残時間であるかを使用者に認知させるためであり、選択表示手段が点滅している加熱手段の残時間を表示していることを示している。
【０１５８】
現在表示されていない加熱手段６２ａ（左加熱手段）の残時間を表示させるときは、左加熱手段調理時間設定キー８８ａを１回入力する。これにより、図２４（ｂ）に示すように、制御手段７１は加熱手段６２ａ（左加熱手段）の表示手段である左加熱手段選択表示手段８９ａを点灯から点滅へ発光状態を変更し、使用者に加熱手段６２ａ（左加熱手段）が選択されていることを認知させ、表示手段６１に加熱手段６２ａ（左加熱手段）の調理時間の残時間である２分を表示させる。
【０１５９】
また、調理庫加熱手段５７は調理時間が設定されているので、制御手段７１は調理庫加熱手段５７の調理時間が設定されていることを使用者に認知させるため、調理庫加熱手段選択表示手段８９ｄを、点滅から点灯へ発光状態を変更する。
【０１６０】
さらに、加熱手段６２ｂ（右加熱手段）は調理時間が設定されているので、制御手段７１は加熱手段６２ｂ（右加熱手段）の調理時間が設定されていることを使用者に認知させるため、引き続き右加熱手段選択表示手段８９ｂの点灯状態を維持する。
【０１６１】
表示を切替えるとき、図１５に示す報知手段７８で切替えたことを報知させてもよい。報知手段２８は、例えば、スピーカーやブザー等の音声により報知を行うものである。
【０１６２】
前述のように、加熱手段６２ａ（左加熱手段）、加熱手段６２ｂ（右加熱手段）、調理庫加熱手段５７といった複数の加熱手段で調理時間が設定されている場合、気が付かない内に調理が終了してしまうことがないよう、調理時間の残時間が、例えば残り２分（（第２の規定の時間）となった加熱手段があれば、その時点で表示手段６１に他の加熱手段の残時間が表示され、他の加熱時間の残時間が残り２分（（第２の規定の時間）となった加熱手段の残時間よりも長い場合、自動的に表示を切替えるようにすると、使用者の利便性を損なわない。
【０１６３】
図２４により詳しく説明すると、図２４（ａ）に示すように、調理庫加熱手段選択表示手段８９ｄが点滅し調理庫加熱手段５７が選択されているので、調理庫加熱手段５７の残時間７分が表示されている状態である。
【０１６４】
この状態から、残時間が表示されていない加熱手段６２ａ（左加熱手段）の残時間が残り２分（（第２の規定の時間）となったことを制御手段７１が確認すると、図２４（ｂ）に示すように、調理庫加熱手段選択表示手段８９ｄが点滅から点灯に発光状態が変更され、左加熱手段選択表示手段８９ａを点灯から点滅へ発光状態を変更させ、加熱手段６２ａ（左加熱手段）が選択されている状態へ発光態様を変更させる。さらに、表示手段６１の表示を調理庫加熱手段５７の残時間７分から、加熱手段６２ａ（左加熱手段）の残時間２分に変更する。
【０１６５】
このように、規定の残時間になった加熱手段の残時間を自動的に表示することで、気が付かない内に調理が終了してしまうことを少なくすることができ、使用者の利便性を向上させることができる。
【０１６６】
加熱手段６２ａ（左加熱手段）の調理が終了したとき、制御手段７１は、加熱手段６２ｂ（右加熱手段）、調理庫加熱手段５７何れかの調理時間を自動で表示するように制御する。加熱手段６２ｂ（右加熱手段）、調理庫加熱手段５７のどちらかを表示させるかは、残時間の長さにより制御手段７１が判断する。
【０１６７】
加熱手段６２ｂ（右加熱手段）、調理庫加熱手段５７の残時間の長さを比較し、例えば加熱手段６２ｂ（右加熱手段）の残時間が短ければ、図２５（ａ）に示す左加熱手段選択表示手段８９ａが点滅し、加熱手段６２ａ（左加熱手段）が選択されていて調理が終了し表示手段６１の残時間の表示が消えている状態から、図２５（ｂ）に示すように、左加熱手段選択表示手段８９ａが消灯し、加熱手段６２ｂ（右加熱手段）を選択していることを表すように、右加熱手段選択表示手段８９ｂを点灯から点滅へ発光状態を変更させ、表示手段６１に加熱手段６２ｂ（右加熱手段）の調理時間の残時間５分を表示させる。
【０１６８】
このように、次に残時間の短い加熱手段の残時間を自動的に表示することで、使用者が次に残時間の短い加熱手段を認知することができ、使用者の利便性を向上させることができる。
【０１６９】
なお、加熱手段６２ａ（左加熱手段）の調理が終了したとき、加熱手段６２ｂ（右加熱手段）、調理庫加熱手段５７のどちらかを表示させるかの判断を残時間の長さで判断するようにしたが、安全性の観点から、加熱手段６２ｂ（右加熱手段）、調理庫加熱手段５７で火力が大きい方の残時間を表示するようにしてもよい。
【０１７０】
ここでいう火力は、火力１や火力２といった設定値と、火力１に割り当てられた出力１５０Ｗ、火力２に割り当てられた出力３００Ｗといった出力を含み、同じ火力１であっても割り当てられた出力が異なる場合は、出力の大きい方が、火力が大きいものとする。
【０１７１】
このように、火力が大きい方の加熱手段の残時間を自動的に表示することで、使用者が火力が大きい加熱手段を認知することができ、使用者の安全性を向上させることができる。
【０１７２】
以上のように、１つの加熱手段である加熱手段６２ａ（左加熱手段）に対応する１つの入力手段である左加熱手段調理時間設定キー８８ａにより、調理時間を設定する加熱手段６２ａ（左加熱手段）の選択、調理時間の設定、調理時間の解除を行い、同様に、１つの加熱手段である加熱手段６２ｂ（右加熱手段）に対応する１つの入力手段である右加熱手段調理時間設定キー８８ｂにより、調理時間を設定する加熱手段６２ｂ（右加熱手段）の選択、調理時間の設定、調理時間の解除を行い、さらに、１つの加熱手段である調理庫加熱手段５７に対応する１つの入力手段である調理庫加熱手段調理時間設定キー８８ｄにより、調理時間を設定する調理庫加熱手段５７の選択、調理時間の設定、調理時間の解除を行うようにしたので、使用者の操作性が損なわれず、利便性のよい加熱調理器２００が提供できる。
【符号の説明】
【０１７３】
１  本体、２  天板、２ａ  排気口カバー、３  トッププレート、３ａ  左被加熱物載置部（左加熱口表示）、３ｂ  右被加熱物載置部（右加熱口表示）、３ｃ  表示窓、４  枠体、５  操作部、５ａ  主電源キー、１１  表示手段、１２ａ  左加熱手段、１２ｂ  右加熱手段、２１  制御手段(マイコン)、２２  左加熱手段用電源回路、２３  右加熱手段用電源回路、２８  報知手段、２９  送風手段、３１ａ  左加熱手段切入キー、３１ｂ  左加熱手段火力ダウンキー、３１ｃ  左加熱手段火力アップキー、３２ａ  左加熱手段火力１表示手段、３２ｂ  左加熱手段火力２表示手段、３２ｃ  左加熱手段火力３表示手段、３２ｄ  左加熱手段火力４表示手段、３２ｅ  左加熱手段火力５表示手段、３２ｆ  左加熱手段火力６表示手段、３２ｇ  左加熱手段火力７表示手段、３２ｈ  左加熱手段火力８表示手段、３２ｉ  左加熱手段火力９表示手段、３３ａ  右加熱手段切入キー、３３ｂ  右加熱手段火力ダウンキー、３３ｃ  右加熱手段火力アップキー、３４ａ  右加熱手段火力１表示手段、３４ｂ  右加熱手段火力２表示手段、３４ｃ  右加熱手段火力３表示手段、３４ｄ  右加熱手段火力４表示手段、３４ｅ  右加熱手段火力５表示手段、３４ｆ  右加熱手段火力６表示手段、３４ｇ  右加熱手段火力７表示手段、３４ｈ  右加熱手段火力８表示手段、３４ｉ  右加熱手段火力９表示手段、３５ａ  左加熱手段調理時間設定キー、３５ｂ  右加熱手段調理時間設定キー、３６ａ  左加熱手段選択表示手段、３６ｂ  右加熱手段選択表示手段、５１  本体、５２  天板、５２ａ  排気口カバー、５２ｂ  排気口カバー、５３  トッププレート、５３ａ  左被加熱物載置部（左加熱口表示）、５３ｂ  右被加熱物載置部（右加熱口表示）、５３ｃ  中央被加熱物載置部（中央加熱口表示）、５４  枠体、５５  操作部、５５ａ  主電源キー、５５ｂ  表示窓、５６  調理庫、５６ａ  調理庫扉、５６ｂ  焼き網、５６ｃ  受け皿、５７  調理庫加熱手段、５７ａ  上部加熱手段、５７ｂ  背面部加熱手段、６１  表示手段、６２ａ  左加熱手段、６２ｂ  右加熱手段、６２Ｃ  中央加熱手段、７１  制御手段(マイコン)、７２  左加熱手段用電源回路、７３  右加熱手段用電源回路、７４  中央加熱手段用電源回路、７５  調理庫加熱手段用電源回路、７８  報知手段、７９  送風手段、８１ａ  左加熱手段切入キー、８１ｂ  左加熱手段火力ダウンキー、８１ｃ  左加熱手段火力アップキー、８２ａ  左加熱手段火力１表示手段、８２ｂ  左加熱手段火力２表示手段、８２ｃ  左加熱手段火力３表示手段、８２ｄ  左加熱手段火力４表示手段、８２ｅ  左加熱手段火力５表示手段、８２ｆ  左加熱手段火力６表示手段、８２ｇ  左加熱手段火力７表示手段、８２ｈ  左加熱手段火力８表示手段、８２ｉ  左加熱手段火力９表示手段、８３ａ  右加熱手段切入キー、８３ｂ  右加熱手段火力ダウンキー、８３ｃ  右加熱手段火力アップキー、８４ａ  右加熱手段火力１表示手段、８４ｂ  右加熱手段火力２表示手段、８４ｃ  右加熱手段火力３表示手段、８４ｄ  右加熱手段火力４表示手段、８４ｅ  右加熱手段火力５表示手段、８４ｆ  右加熱手段火力６表示手段、８４ｇ  右加熱手段火力７表示手段、８４ｈ  右加熱手段火力８表示手段、８４ｉ  右加熱手段火力９表示手段、８５ａ  中央／調理庫加���手段切入キー、８５ｂ  中央／調理庫加熱手段火力ダウンキー、８５ｃ  中央／調理庫加熱手段火力アップキー、８６ａ  中央／調理庫加熱手段火力１表示手段、８６ｂ  中央／調理庫加熱手段火力２表示手段、８６ｃ  中央／調理庫加熱手段火力３表示手段、８６ｄ  中央／調理庫加熱手段火力４表示手段、８６ｅ  中央／調理庫加熱手段火力５表示手段、８７  中央／調理庫加熱手段切替キー、８７ａ  調理庫切替時表示手段、８８ａ  左加熱手段調理時間設定キー、８８ｂ  右加熱手段調理時間設定キー、８８ｃ  中央加熱手段調理時間設定キー、８８ｄ  調理庫加熱手段調理時間設定キー、８９ａ  左加熱手段選択表示手段、８９ｂ  右加熱手段選択表示手段、８９ｃ  中央加熱手段選択表示手段、８９ｄ  調理庫加熱手段選択表示手段、１００  加熱調理器、２００  加熱調理器。
【図１】
2019027766.tif 000003
【図２】
2019027766.tif 000004
【図３】
2019027766.tif 000005
【図４】
2019027766.tif 000006
【図５】
2019027766.tif 000007
【図６】
2019027766.tif 000008
【図７】
2019027766.tif 000009
【図８】
2019027766.tif 000010
【図９】
2019027766.tif 000011
【図１０】
2019027766.tif 000012
【図１１】
2019027766.tif 000013
【図１２】
2019027766.tif 000014
【図１３】
2019027766.tif 000015
【図１４】
2019027766.tif 000016
【図１５】
2019027766.tif 000017
【図１６】
2019027766.tif 000018
【図１７】
2019027766.tif 000019
【図１８】
2019027766.tif 000020
【図１９】
2019027766.tif 000021
【図２０】
2019027766.tif 000022
【図２１】
2019027766.tif 000023
【図２２】
2019027766.tif 000024
【図２３】
2019027766.tif 000025
【図２４】
2019027766.tif 000026
【図２５】
2019027766.tif 000027